(57)【特許請求の範囲】
【請求項１】
磁気記録層を有する現像済みスチル写真フイルムが単一のスプールに巻回されているフイルムカートリッジから前記フイルムを１往復させ、往路で前記磁気記録層から磁気情報を読み取るとともに各コマの画像を読み取るラインセンサの出力に基づいて各コマの第１の撮影条件を検知し、復路で前記第１の撮影条件に基づいて処理された前記ラインセンサの出力に基づいて全コマの画像を示すインデックス画像を低精度で読み取るとともに各コマの第２の撮影条件を検知するプリスキャンを実行し、
前記プリスキャン終了後の任意のコマ画像を高精度で読み取る際に、該コマの第２の撮影条件に基づいて前記ラインセンサの出力を処理する本スキャンを実行し、
前記フイルムカートリッジのイジェクト前のフイルム巻取時に磁気情報を前記磁気記録層に記録するフイルムスキャナにおいて、
前記フイルムのリーダ部に該フイルムを識別するためのフイルム識別情報を光学的又は磁気的に記録し、
前記プリスキャン時に前記インデックス画像を示す画像情報、前記第２の撮影条件を示す情報及び磁気情報とともに前記フイルム識別情報を不揮発性メモリに記憶し、
任意のフイルムカートリッジからフイルム識別情報を読み取り、該フイルム識別情報が前記不揮発性メモリに記憶されているフイルム識別情報と一致している場合には、前記プリスキャンを省略し、不一致の場合には前記プリスキャンを実行してインデックス画像を示す画像情報、撮影条件を示す情報、磁気情報、及びフイルム識別情報を新たに読み取るようにしたことを特徴とするフイルムスキャナのスキャン方法。
【請求項２】
磁気記録層を有する現像済みスチル写真フイルムが単一のスプールに巻回されているフイルムカートリッジから前記フイルムを１往復させ、往路で前記磁気記録層から磁気情報を読み取るとともに各コマの画像を読み取るラインセンサの出力に基づいて各コマの第１の撮影条件を検知し、復路で前記第１の撮影条件に基づいて処理された前記ラインセンサの出力に基づいて全コマの画像を示すインデックス画像を低精度で読み取るとともに各コマの第２の撮影条件を検知するプリスキャンを実行し、
前記プリスキャン終了後の任意のコマ画像を高精度で読み取る際に、該コマの第２の撮影条件に基づいて前記ラインセンサの出力を処理する本スキャンを実行し、
前記フイルムカートリッジのイジェクト前のフイルム巻取時に磁気情報を前記磁気記録層に記録するフイルムスキャナにおいて、
前記フイルムのリーダ部に該フイルムを識別するためのフイルム識別情報を光学的又は磁気的に記録し、
前記プリスキャン時に前記第２の撮影条件を示す情報及び前記磁気情報とともに前記フイルム識別情報を不揮発性メモリに記憶し、
任意のフイルムカートリッジからフイルム識別情報を読み取り、該フイルム識別情報が前記不揮発性メモリに記憶されているフイルム識別情報と一致している場合には、前記プリスキャンの往路で前記不揮発性メモリに記憶されている第２の撮影条件に基づいて前記インデックス画像を読み取り、不一致の場合には前記プリスキャンを実行してインデックス画像を示す画像情報、撮影条件を示す情報、磁気情報及びフイルム識別情報を新たに読み取るようにしたことを特徴とするフイルムスキャナのスキャン方法。
【請求項３】
磁気記録層を有する現像済みスチル写真フイルムが単一のスプールに巻回されているフイルムカートリッジから前記フイルムを１往復させ、往路で前記磁気記録層から磁気情報を読み取るとともに各コマの画像を読み取るラインセンサの出力に基づいて各コマの第１の撮影条件を検知し、復路で前記第１の撮影条件に基づいて処理された前記ラインセンサの出力に基づいて全コマの画像を示すインデックス画像を低精度で読み取るとともに各コマの第２の撮影条件を検知するプリスキャンを実行し、
前記プリスキャン終了後の任意のコマ画像を高精度で読み取る際に、該コマの第２の撮影条件に基づいて前記ラインセンサの出力を処理する本スキャンを実行し、
前記フイルムカートリッジのイジェクト前のフイルム巻取時に磁気情報を前記磁気記録層に記録するフイルムスキャナにおいて、
前記フイルムのリーダ部に該フイルムを識別するためのフイルム識別情報を光学的又は磁気的に記録し、
前記プリスキャン時に前記インデックス画像を示す画像情報、前記第２の撮影条件を示す情報及び前記磁気情報とともに前記フイルム識別情報を最後に操作したフイルム識別情報として揮発性メモリに記憶し、
任意のフイルムカートリッジからフイルム識別情報を読み取り、該フイルム識別情報が前記揮発性メモリに記憶されているフイルム識別情報と一致している場合には、前記プリスキャンを省略し、不一致の場合には前記プリスキャンを実行してインデックス画像を示す画像情報、撮影条件を示す情報、磁気情報及びフイルム識別情報を新たに読み取るようにしたことを特徴とするフイルムスキャナのスキャン方法。
【請求項４】
磁気記録層を有する現像済みスチル写真フイルムが単一のスプールに巻回されているフイルムカートリッジから前記フイルムを１往復させ、往路で前記磁気記録層から磁気情報を読み取るとともに各コマの画像を読み取るラインセンサの出力に基づいて各コマの第１の撮影条件を検知し、復路で前記第１の撮影条件に基づいて処理された前記ラインセンサの出力に基づいて全コマの画像を示すインデックス画像を低精度で読み取るとともに各コマの第２の撮影条件を検知するプリスキャンを実行し、
前記プリスキャン終了後の任意のコマ画像を高精度で読み取る際に、該コマの第２の撮影条件に基づいて前記ラインセンサの出力を処理する本スキャンを実行し、
前記フイルムカートリッジのイジェクト前のフイルム巻取時に磁気情報を前記磁気記録層に記録するフイルムスキャナにおいて、
前記フイルムのリーダ部に該フイルムを識別するためのフイルム識別情報を光学的又は磁気的に記録し、
前記プリスキャン時に前記第２の撮影条件を示す情報及び前記磁気情報とともに前記フイルム識別情報を不揮発性メモリに記憶し、更に、前記インデックス画像を示す画像情報と共に前記フイルム識別情報を最後に操作したフイルム識別情報として揮発性メモリに記憶し、
任意のフイルムカートリッジからフイルム識別情報を読み取り、該フイルム識別情報が前記揮発性メモリに記憶されているフイルム識別情報と一致している場合には、前記プリスキャンを省略し、
不一致の場合に、該フイルム識別情報が前記不揮発性メモリに記憶されているフイルム識別情報と一致している場合には、前記プリスキャンの往路で前記不揮発性メモリに記憶されている第２の撮影条件に基づいて前記インデックス画像を読み取り、該フイルム識別情報が前記不揮発性メモリに記憶されているフイルム識別情報と不一致の場合には前記プリスキャンを実行してインデックス画像を示す画像情報、撮影条件を示す情報、磁気情報及びフイルム識別情報を新たに読み取るようにしたことを特徴とするフイルムスキャナのスキャン方法。
【請求項５】
磁気情報が他の機器によって更新されたか否かを判別するための磁気記録更新コードを前記フイルムのリーダ部に記録し、
任意のフイルムカートリッジからフイルム識別情報及び磁気記録更新コードを読み取り、該フイルム識別情報が前記不揮発性メモリ又は揮発性メモリに記憶されているフイルム識別情報と一致し、且つ磁気情報の更新が行われなかったことが検知された場合には前記プリスキャンを省略することを特徴とする請求項１、２、３又は４のフイルムスキャナのスキャン方法。
【発明の詳細な説明】
【０００１】
【産業上の利用分野】
本発明はフイルムスキャナのスキャン方法に係り、特に、磁気記録層を有するネガフイルムを所定の速度で搬送してコマ画像をラインセンサで読み取るフイルムスキャナのスキャン方法に関する。
【０００２】
【従来の技術】
従来から、ネガフイルムのコマ画像をＣＣＤラインセンサで撮像し、ＣＣＤラインセンサから出力される画像信号を画像処理してモニタＴＶに出力するフイルムスキャナが提案されている（特願平６─９２４号明細書参照）。
このフイルムスキャナは、先ず、画像の撮影条件（ＡＥ／ＡＷＢ情報）を取得する為に、フイルム全体にわたって高速読み取り（第１プリスキャン）を行い、次にその条件に基づいて各コマに補正をかけながらフイルムを高速でスキャン（第２プリスキャン）して、全コマの縮小画像（インデックス画像）を取得すると共に更に詳細なＡＥ／ＡＷＢ情報を取得している。この第２プリスキャンで得られたＡＥ／ＡＷＢ情報に基づいて各コマに補正をかけて適正な各コマ画像を取得している（これを本スキャンという）。
【０００３】
そして通常は、該フイルムをフイルムスキャナから排出する際にインデックス画像メモリ及びＡＥ／ＡＷＢ情報等のメモリをクリアして初期状態にもどしている。
【０００４】
【発明が解決しようとする課題】
ところで、上記従来のフイルムスキャナは、一度フイルムの再生を終えてフイルムカートリッジを排出した後、再度同じフイルムを投入する場合にも、改めてＡＥ／ＡＷＢ情報の取得及びインデックス画像の取得を行っており、無駄な処理時間・再生時間を要するという欠点がある。更に、かかる不要なフイルム走行及びメカ駆動によって、フイルムの保存性並びにメカの耐久性にも悪影響を及ぼすという欠点がある。
【０００５】
本発明はこのような事情に鑑みてなされたもので、同一フイルムカートリッジが再投入された場合にはプリスキャンを省略することにより操作性を高めると共に、フイルムの保存性並びにメカの耐久性を高めることができるフイルムスキャナのスキャン方法を提供することを目的とする。
【０００６】
【課題を解決する為の手段】
本発明は、前記目的を達成するために、磁気記録層を有する現像済みスチル写真フイルムが単一のスプールに巻回されているフイルムカートリッジから前記フイルムを１往復させ、往路で前記磁気記録層から磁気情報を読み取るとともに各コマの画像を読み取るラインセンサの出力に基づいて各コマの第１の撮影条件を検知し、復路で前記第１の撮影条件に基づいて処理された前記ラインセンサの出力に基づいて全コマの画像を示すインデックス画像を低精度で読み取るとともに各コマの第２の撮影条件を検知するプリスキャンを実行し、前記プリスキャン終了後の任意のコマ画像を高精度で読み取る際に、該コマの第２の撮影条件に基づいて前記ラインセンサの出力を処理する本スキャンを実行し、前記フイルムカートリッジのイジェクト前のフイルム巻取時に磁気情報を前記磁気記録層に記録するフイルムスキャナにおいて、前記フイルムのリーダ部に該フイルムを識別するためのフイルム識別情報を光学的又は磁気的に記録し、前記プリスキャン時に前記インデックス画像を示す画像情報、前記第２の撮影条件を示す情報及び磁気情報とともに前記フイルム識別情報を不揮発性メモリに記憶し、任意のフイルムカートリッジからフイルム識別情報を読み取り、該フイルム識別情報が前記不揮発性メモリに記憶されているフイルム識別情報と一致している場合には、前記プリスキャンを省略し、不一致の場合には前記プリスキャンを実行してインデックス画像を示す画像情報、撮影条件を示す情報、磁気情報、及びフイルム識別情報を新たに読み取るようにしたことを特徴としている。
【０００７】
また本発明は、前記目的を達成するために、磁気記録層を有する現像済みスチル写真フイルムが単一のスプールに巻回されているフイルムカートリッジから前記フイルムを１往復させ、往路で前記磁気記録層から磁気情報を読み取るとともに各コマの画像を読み取るラインセンサの出力に基づいて各コマの第１の撮影条件を検知し、復路で前記第１の撮影条件に基づいて処理された前記ラインセンサの出力に基づいて全コマの画像を示すインデックス画像を低精度で読み取るとともに各コマの第２の撮影条件を検知するプリスキャンを実行し、前記プリスキャン終了後の任意のコマ画像を高精度で読み取る際に、該コマの第２の撮影条件に基づいて前記ラインセンサの出力を処理する本スキャンを実行し、前記フイルムカートリッジのイジェクト前のフイルム巻取時に磁気情報を前記磁気記録層に記録するフイルムスキャナにおいて、前記フイルムのリーダ部に該フイルムを識別するためのフイルム識別情報を光学的又は磁気的に記録し、前記プリスキャン時に前記第２の撮影条件を示す情報及び前記磁気情報とともに前記フイルム識別情報を不揮発性メモリに記憶し、任意のフイルムカートリッジからフイルム識別情報を読み取り、該フイルム識別情報が前記不揮発性メモリに記憶されているフイルム識別情報と一致している場合には、前記プリスキャンの往路で前記不揮発性メモリに記憶されている第２の撮影条件に基づいて前記インデックス画像を読み取り、不一致の場合には前記プリスキャンを実行してインデックス画像を示す画像情報、撮影条件を示す情報、磁気情報及びフイルム識別情報を新たに読み取っるようにしたことを特徴としている。
【０００８】
更に本発明は前記目的を達成するために、前記同様のフイルムスキャナにおいて、前記フイルムのリーダ部に該フイルムを識別するためのフイルム識別情報を光学的又は磁気的に記録し、前記プリスキャン時に前記インデックス画像を示す画像情報、前記第２の撮影条件を示す情報及び前記磁気情報とともに前記フイルム識別情報を最後に操作したフイルム識別情報として揮発性メモリに記憶し、任意のフイルムカートリッジからフイルム識別情報を読み取り、該フイルム識別情報が前記揮発性メモリに記憶されているフイルム識別情報と一致している場合には、前記プリスキャンを省略し、不一致の場合には前記プリスキャンを実行してインデックス画像を示す画像情報、撮影条件を示す情報、磁気情報及びフイルム識別情報を新たに読み取るようにしたことを特徴としている。
【０００９】
更にまた、本発明は前記目的を達成するために、前記同様のフイルムスキャナにおいて、前記フイルムのリーダ部に該フイルムを識別するためのフイルム識別情報を光学的又は磁気的に記録し、前記プリスキャン時に前記第２の撮影条件を示す情報及び前記磁気情報とともに前記フイルム識別情報を不揮発性メモリに記憶し、更に、前記インデックス画像を示す画像情報と共に前記フイルム識別情報を最後に操作したフイルム識別情報として揮発性メモリに記憶し、任意のフイルムカートリッジからフイルム識別情報を読み取り、該フイルム識別情報が前記揮発性メモリに記憶されているフイルム識別情報と一致している場合には、前記プリスキャンを省略し、不一致の場合に、該フイルム識別情報が前記不揮発性メモリに記憶されているフイルム識別情報と一致している場合には、前記プリスキャンの往路で前記不揮発性メモリに記憶されている第２の撮影条件に基づいて前記インデックス画像を読み取り、該フイルム識別情報が前記不揮発性メモリに記憶されているフイルム識別情報と不一致の場合には前記プリスキャンを実行してインデックス画像を示す画像情報、撮影条件を示す情報、磁気情報及びフイルム識別情報を新たに読み取るようにしたことを特徴としている。
【００１０】
【作用】
請求項１記載の発明によれば、フイルムカートリッジが投入されたフイルムスキャナは、先ずフイルムリーダ部に光学的または磁気的に記録されたフイルムの識別情報を読み取り、読み取った識別情報を基に今回投入されたフイルムが不揮発性メモリに記憶しているフイルムと同一か否かを判別する。そして今回投入したフイルムが不揮発性メモリに記憶しているフイルムと不一致と判別した場合は、プリスキャンを実行して新たにインデックス画像を示す画像情報、第２の撮影条件を示す情報、磁気情報及びフイルム識別情報を読み取る。即ち、往路で磁気情報を読み取るとともに第１の撮影条件を検知し、復路でインデックス画像を低精度で読み取るとともに第２の撮影条件を検知している。
【００１１】
一方、今回投入されたフイルムが不揮発性メモリに記憶しているフイルムと一致していると判別した場合は、上記不揮発性メモリに記憶したデータがそのまま使用できるので、上述のプリスキャンを省略することができる。これにより、処理時間が短縮化でき、操作性を向上することができる。更に、無駄なフイルム走行を防止し、フイルムの保存性並びにフイルムスキャナのメカの耐久性の向上に寄与することができる。
【００１２】
請求項２記載の発明によれば、フイルムカートリッジが投入されたフイルムスキャナは、先ずフイルムリーダ部に光学的または磁気的に記録されたフイルムの識別情報を読み取り、読み取った識別情報を基に今回投入されたフイルムが不揮発性メモリに記憶しているフイルムと同一か否かを判別する。そして今回投入されたフイルムが不揮発性メモリに記憶しているフイルムと不一致と判断した場合は、１往復のプリスキャンを実行して新たにインデックス画像を示す画像情報、第２の撮影条件を示す情報、磁気情報及びフイルム識別情報を読み取る。即ち、往路で磁気情報を読み取るとともに第１の撮影条件を検知し、復路でインデックス画像を低精度で読み取るとともに第２の撮影条件を検知している。
【００１３】
一方、今回投入されたフイルムが不揮発性メモリに記憶しているフイルムと一致していると判別した場合は、不揮発性メモリに記憶しているデータが利用できるので、プリスキャンを簡略化することができる。即ち、プリスキャンの往路で前記不揮発性メモリに記憶している第２の撮影条件に基づいてインデックス画像の読み取りを行い、撮影条件及び磁気情報の取得は不要となる。これにより、処理時間が短縮化でき、操作性を向上することができる。
【００１４】
請求項３記載の発明によれば、プリスキャン時にインデックス画像を示す画像情報、第２の撮影条件を示す情報及び磁気情報とともにフイルム識別情報を最後に操作したフイルム識別情報として揮発性メモリに記憶するようにし、任意のフイルムカートリッジが挿入された際に、先ず該フイルムの識別情報を読み取り、該フイルム識別情報が前記揮発性メモリに記憶されているフイルム識別情報と一致している場合には、前記プリスキャンを省略し、不一致の場合には前記プリスキャンを実行してインデックス画像を示す画像情報、撮影条件を示す情報、磁気情報及びフイルム識別情報を新たに読み取るようにしている。これにより、揮発性メモリを使用する場合でも、処理時間を短縮化することができる。
【００１５】
請求項４記載の発明によれば、プリスキャン時に第２の撮影条件を示す情報及び磁気情報とともにフイルム識別情報を不揮発性メモリに記憶し、更に、前記インデックス画像を示す画像情報と共に前記フイルム識別情報を最後に操作したフイルム識別情報として揮発性メモリに記憶するようにし、任意のフイルムカートリッジが挿入された際に、先ず該フイルムの識別情報を読み取り、該フイルム識別情報が前記揮発性メモリに記憶されているフイルム識別情報と一致している場合には、前記プリスキャンを省略することができる。そして、不一致の場合には、更に、該フイルム識別情報が前記不揮発性メモリに記憶されているか否かを判別し、前記不揮発性メモリに記憶しているフイルム識別情報と一致している場合には、不揮発性メモリに記憶しているデータが利用でき、前記プリスキャンの往路で前記不揮発性メモリに記憶されている第２の撮影条件に基づいて前記インデックス画像を読み取り、撮影条件及び磁気情報の取得は省略できる。一方、前記フイルム識別情報が前記不揮発性メモリに記憶されていない場合は、プリスキャンを実行してインデックス画像を示す画像情報、撮影条件を示す情報、磁気情報及びフイルム識別情報を新たに読み取るようにしている。これにより、インデックス画像を記憶するメモリを揮発性メモリで構成する場合でも、処理時間を短縮化することができ、操作性を向上することができる。更に、無駄なフイルム走行を防止し、フイルムの保存性並びにフイルムスキャナのメカの耐久性の向上に寄与することができる。
【００１６】
請求項５記載の発明によれば、フイルム識別情報を読み取ると共に磁気記録更新コードを読み取る。そして、読み取った識別情報を基に今回投入されたフイルムが不揮発性メモリ又は揮発性メモリに記憶しているフイルムと同一か否かの判別を行うと共に、前記磁気記録更新コードを基にフイルムの磁気情報が書き替わっているか否かを判別している。フイルムが同一で且つ磁気情報が書き替わっていない場合は、上記不揮発性メモリ及び揮発性メモリに記憶しているデータが使用できるので、前記プリスキャンを省略又は簡略化することができる。
【００１７】
これにより、フイルムスキャナから一旦排出されたフイルムカートリッジの磁気情報が他の機器において書き換えられた後、再びそのフイルムスキャナに投入された場合には、更新された磁気情報に基づいて、新たに磁気情報、撮影条件及びインデックス画像を取得することができる。
【００１８】
【実施例】
以下添付図面に従って本発明に係るフイルムスキャナのスキャン方法の好ましい実施例を詳説する。
図１は本発明に係るフイルムスキャナのスキャン方法が適用されたフイルムスキャナを含むシステム全体の概略構成を示す斜視図である。同図に示すように、フイルムスキャナ１００は直方体状に形成され、その前面にはフイルムカートリッジトレー１０２及び電源スイッチ１０４が設けられている。フイルムカートリッジトレー１０２は、フイルムカートリッジ１１０のローディング／アンローディング時に前後方向に進退駆動され、これよりフイルムカートリッジ１１０の収納または取出しが行われる。
【００１９】
フイルムスキャナ１００にはキーパッド１２０及びモニタＴＶ１０９が接続され、キーパッド１２０からは信号ケーブル１０６を介してフイルムスキャナ１００を制御するための各種の操作信号がフイルムスキャナ１００に出力され、フイルムスキャナ１００からは信号ケーブル１０８を介して映像信号がモニタＴＶ１０９に出力される。尚、キーパッド１２０によるフイルムスキャナ１００の制御の詳細については後述する。
【００２０】
フイルムカートリッジ１１０は、図２に示すように単一のスプール１１２を有し、このスプール１１２に写真フイルム１１４が巻回されている。写真フイルム１１４には、各コマの位置を示すパーフォレーション１１４Ａが穿設されるとともに、フイルム全面又はフイルム縁部に磁気記録層１１４Ｂ、１１４Ｃが形成されており、この磁気記録層１１４Ｂ、１１４Ｃには、磁気ヘッドを有するカメラによってコマ毎の撮影データ等を示す磁気情報が記録できるようになっている。また、現像処理された上記写真フイルム１１４はフイルムカートリッジ１１０に巻き取られ、これにより保管できるようになっている。
【００２１】
ここで、１ロールのフイルムのうち、第１フレーム（第１コマ）の位置を示すパーフォレーション１１４Ａよりもフイルム先端側をリーダ部といい、リーダ部の磁気トラックをリーダトラック１１４Ｃという。また、第１フレームの位置を示すパーフォレーション１１４Ａよりも後端側をフレーム部といい、フレーム部の磁気トラックをフレームトラック１１４Ｂという。そして、リーダトラック１１４Ｃには主に１ロール全体の磁気情報が記録され、フレームトラック１１４Ｂにはコマ毎の磁気情報が記録される。更に、フイルムのリーダ部の縁部にはフイルム固有の識別符号（フイルムＩｄｅｎｔｉｆｉｃａｔｉｏｎＩＤ）を表す図示しないバーコードが書き込まれている。
【００２２】
このフイルムカートリッジ１１０を使用するカメラは、カメラ内蔵の磁気ヘッドによって前記フイルム１１４の磁気記録層１１４Ｂ、１１４Ｃに各種の磁気情報をコマ毎に記録することができる。記録される磁気情報としては、例えば、コマ番号、ハイビジョン画像、パノラマ画像及び通常画像のいずれかを示すプリントフォーマット、撮影日／時刻等が考えられるが、その他、カメラによって多数種類のデータを記録することができる。また、前記写真フイルム１１４には、被写体光によって露光されるコマ領域以外にフイルムタイプ、コマ番号等を示すバーコードを光学的に記録することができる。
【００２３】
図３は上記フイルムスキャナ１００の内部構成の一実施例を示すブロック図である。このフイルムスキャナ１００は、主として照明用の光源１３０、撮影レンズ１３６、ＣＣＤラインセンサ１４２を含むＣＣＤ回路ユニット１４０、第１信号処理回路１５１、第２信号処理回路１５２、第３信号処理回路１５３、メモリ制御回路１５４、ＣＣＤバッファＭ１ａ、Ｍ１ｂ、表示バッファＭ２、中央処理装置（ＣＰＵ）１６０、フイルム駆動メカ１７０、光学データ読取装置１８０、磁気記録再生装置１８２等を備えている。
【００２４】
光源１３０は、例えばフイルム１１４の給送方向と直交する方向に長い蛍光灯からなり、赤外カットフィルタ１３２を介してフイルム１１４を照明する。フイルム１１４を透過した画像光は、単焦点の撮影レンズ１３６を介してＣＣＤラインセンサ１４２の受光面に結像される。尚、ＣＣＤラインセンサ１４２によるフイルム画像の撮像中には、フイルム１１４はフイルム駆動メカ１７０によって一定速度で矢印Ａ方向（以下、順方向という）又は矢印Ｂ方向（以下、逆方向という）に移動させられるが、このフイルム駆動の詳細については後述する。
【００２５】
ＣＣＤラインセンサ１４２はフイルム給送方向と直交する方向に配設されている。そして、ＣＣＤラインセンサ１４２の受光面に結像された画像光は、Ｒ，Ｇ，Ｂフィルタを有する各センサで所定時間電荷蓄積され、光の強さに応じた量のＲ，Ｇ，Ｂの信号電荷に変換される。このようにして蓄積された信号電荷は、ＣＣＤ駆動回路１４４から加えられる所定周期のリードゲートパルスによってシフトレジスタに読み出され、レジスタ転送パルスによって順次読み出される。
【００２６】
ここで、ＣＣＤラインセンサ１４２は、フイルム給送方向と直交する方向（主走査方向）に例えば１０２４画素分のセンサを有している。また、１コマのフイルム給送方向と同方向（副走査方向）の画素数は、ＣＣＤ駆動回路１４４のリードゲートパルス等の周期を変更しないため、フイルム給送速度に応じて変化する。本実施例では、フイルムの副走査方向の速度（スキャン速度）を、標準のフイルム画像を取り込む時のスキャン速度の２のべき乗、例えば１／２倍、１倍、８倍、１６倍）となるように変更でき、これらの各スキャン速度における副走査方向の画素数は、１７９２画素、８９６画素、１１２画素、５６画素となる。
【００２７】
このようにしてＣＣＤラインセンサ１４２から読み出された信号電荷は、ＣＤＳクランプによってクランプされてＲ，Ｇ，Ｂ信号としてアナログ処理回路１４６に加えられ、ここでＲ，Ｇ，Ｂ信号のゲイン等が制御される。アナログ処理回路１４６から出力されるＲ，Ｇ，Ｂ信号はマルチプレクサ１４８によって点順次化され、Ａ／Ｄコンバータ１５０によってデジタル信号に変換されたのち、第１信号処理回路１５１及びＣＰＵ１６０に加えられる。
【００２８】
第１信号処理回路１５１は、白バランス調整回路、ネガポジ変転回路、γ補正回路及びＲＧＢ同時化回路等を含み、順次入力する点順次のＲ，Ｇ，Ｂ信号を各回路で適宜信号処理したのち、同時化したＲ，Ｇ，Ｂ信号を第２信号処理回路１５２に出力する。尚、第１信号処理回路１５１における白バランス調整回路は、ＣＰＵ１６０から加えられる制御信号に基づいて行うもので、その詳細は後述する。
【００２９】
第２信号処理回路１５２はマトリクス回路を有し、入力するＲ，Ｇ，Ｂ信号に基づいて輝度信号Ｙ及びクロマ信号Ｃｒ／ｂ  を生成し、これらをメモリ制御回路１５４に出力する。
メモリ制御回路１５４は、上記輝度信号Ｙ及びクロマ信号Ｃｒ／ｂ  のＣＣＤバッファＭ１ａ又はＭ１ｂへの書込み／読出しを制御するとともに、ＣＣＤバッファＭ１ａ又はＭ１ｂに記憶された輝度信号Ｙ及びクロマ信号Ｃｒ／ｂ  の表示バッファＭ２への書込み／読出しを制御する。尚、ＣＣＤバッファＭ１ａ，Ｍ１ｂ及び表示バッファＭ２への書込み／読出し制御の詳細については後述する。
【００３０】
メモリ制御回路１５４によって表示バッファＭ２から読み出される輝度信号Ｙ及びクロマ信号Ｃｒ／ｂ  は、第３信号処理回路１５３に加えられる。第３信号処理回路１５３は、入力する輝度信号Ｙ及びクロマ信号Ｃｒ／ｂ  に基づいて例えばＮＴＳＣ方式のカラー複合映像信号を生成し、これをＤ／Ａコンバータ１５６を介してビデオ出力端子１５８に出力する。尚、メモリ制御回路１５４、第３信号処理回路１５６及びＤ／Ａコンバータ１５６には同期信号発生回路１５９から所定周期の同期信号がそれぞれ加えられており、これにより各回路の同期がとられるとともに所要の同期信号を含む映像信号が得られるようにしている。また、ＣＣＤ回路ユニット１４０、Ａ／Ｄコンバータ１５０、第１信号処理回路１５１、第２信号処理回路１５２及びメモリ制御回路１５４にはＣＰＵ１６０によって制御されるタイミング信号発生回路１６２からタイミング信号がそれぞれ加えられており、これにより各回路の同期がとられている。
【００３１】
ＣＰＵ１６０は、図３に示すＡ／Ｄコンバータ１５０からの点順次のＲ，Ｇ，Ｂ信号を各別に全コマ分取り込み、色信号別のオフセット量、及び白バランスを調整するための色信号別のゲイン調整量を算出し、これらの色信号別のオフセット量を示すオフセットデータ及びゲイン調整量を示すＡＥ／ＡＷＢ情報をコマ毎にＣＰＵ内蔵のＡＥ／ＡＷＢ情報メモリ１６１Ａに記憶する。尚、ＣＰＵ１６０は、光学データ読取装置１８０及び磁気記録再生装置１８２を介して加えられる光学データ及び／又は磁気情報に基づいてフイルム１１４の固有識別情報（フイルムＩＤ）を検知している。更に、フイルムの磁気情報をＣＰＵ内蔵の不揮発性の磁気情報メモリ１６１Ｂに記憶すると共に、フイルムＩＤを不揮発性のフイルムＩＤメモリ１６１Ｃに記憶している。
【００３２】
フイルム駆動メカ１７０は、フイルムカートリッジ１１０のスプール１１２と係合し、そのスプール１１２を正転／逆転駆動するフイルム供給部と、このフイルム供給部から送出されるフイルム１１４を巻き取るフイルム巻取部と、フイルム搬送路に配設されフイルム１１４をキャプスタンとピンチローラとで挟持してフイルム１１４を一定速度で送る手段とから構成されている。尚、上記フイルム供給部は、フイルムカートリッジ１１０のスプール１１２を図３上で時計回り方向に駆動し、フイルム先端がフイルム巻取部によって巻き取られるまでフイルムカートリッジ１１０からフイルム１１４を送り出すようにしている。
【００３３】
光学データ読取装置１８０は、フイルム１１４のパーフォレーション１１４Ａを光学的に検出する第１の光センサ１８０Ａと、フイルム縁部に書き込まれているバーコード等の光学データを光学的に検出する第２の光センサ１８０Ｂとを含み、これらの光センサ１８０Ａ、１８０Ｂを介して検出した光学データを処理してＣＰＵ１６０に出力する。
【００３４】
磁気記録再生装置１８２は磁気ヘッド１８２Ａを含み、磁気ヘッド１８２Ａを介してフイルム１１４の磁気記録層１１４Ｂ、１１４Ｃに記録されている磁気情報を読み取り、その磁気情報を処理してＣＰＵ１６０に出力し、また、ＣＰＵ１６０から加えられる書込み用のデータを磁気記録に適した信号に変換したのち磁気ヘッド１８２Ａに出力し、フイルム１１４の磁気記録層１１４Ｂ、１１４Ｃに記録する。
【００３５】
次に、上記構成のフイルムプレーヤ１００の作用について、図４及び図５に示すフローチャートを参照しながら説明する。
図４はフイルムスキャナ１００の全体の作用を説明する為のフローチャートであり、図５は図４において本発明の要部の作用を説明する為のフローチャートである。先ず、フイルムカートリッジ１１０をフイルムカートリッジトレー１０２にセットすると、ＣＰＵ１６０はフイルム駆動メカ１７０を制御してフイルムローディングを実行する（ステップ２００）。即ち、フイルムカートリッジ１１０からフイルム１１４を送り出し、フイルム先端をフイルム巻取部の巻取軸に巻き付ける。
【００３６】
フイルムローディングが完了すると、光学データ装置１８０を介してフイルムリーダ部の縁部のバーコードを読み取ってフイルムＩＤを識別し（ステップ２０２）、フイルムＩＤメモリ１６１Ｃに記憶されている前回のフイルムＩＤと同じか否かを判別する（ステップ２０４）。前回のフイルムＩＤと異なる場合は、インデックス画像バッファＭ１ａをクリアする（ステップ２０６）と共にＡＥ／ＡＷＢ情報のメモリ１６１Ａをクリアし（ステップ２０７）、更に磁気情報のメモリ１６１Ｂをクリアする（ステップ２０８）。その後、フイルム１１４の第１プリスキャン（ステップ２１０）及び第２プリスキャン（ステップ２１２）を実行し、これらのスキャンによって取得した各情報を今回のフイルムＩＤを変数として記憶する（ステップ２１４）。
【００３７】
即ち、第１のプリスキャン時には、図６に示すようにフイルム１１４を１４８．０ｍｍ／秒の高速で順方向（図６参照）に給送し、ＣＣＤラインセンサ１４２を介して画像データを取り込むとともに、光学データ読取装置１８０及び磁気記録再生装置１８２を介して光学データ及び磁気データを読み取り、ＡＥ／ＡＷＢ情報及び磁気情報を取得する。
【００３８】
また、上記第２のプリスキャン時には、図６に示すようにフイルム１１４を７４．０ｍｍ／秒の高速で逆方向に巻き戻し、再びＣＣＤラインセンサ１４２を介して画像データを取り込む。この画像データの取込み時には、ＣＰＵ１６０は、ＡＥ／ＡＷＢ情報メモリ１６１Ａに記憶したＡＥデータに基づいて絞り制御装置１６４を介して各コマ毎に絞り１３４を制御する。尚、ＣＣＤラインセンサ１４２として、電子シャッタ機構を有するものを使用する場合には、ＣＣＤ駆動回路１４４を介してＣＣＤラインセンサ１４２における電荷蓄積時間を制御することにより、露光量を調整することができ、この場合には絞り１３４や絞り制御装置１６４は不要になる。
【００３９】
また、ＣＰＵ１６０は、第１信号処理回路１５１において、各コマ毎にＲ，Ｇ，Ｂ信号のオフセット量及び白バランスの調整を行わせる。即ち、ＣＰＵ１６０は、ＡＥ／ＡＷＢ情報メモリ１６１Ａに記憶した各コマの色信号毎のオフセットデータを第１信号処理回路１５１に出力し、第１信号処理回路１５１はこのオフセットデータに基づいて点順次のＲ，Ｇ，Ｂ信号のオフセット量を調整する。同様に、ＣＰＵ１６０は、ＡＥ／ＡＷＢ情報メモリ１６１Ａに記憶した各コマの色信号毎のＡＷＢデータを第１信号処理回路１５１に出力し、第１信号処理回路１５１はこのＡＷＢデータに基づいて点順次のＲ，Ｇ，Ｂ信号のゲインを調整する。
【００４０】
上記ＡＥ／ＡＷＢ情報等に基づいて各コマの画像データを調整しているため、各コマの撮影条件にかかわらず、良好な画像データを取り込むことができる。同時に、更に詳細なＡＥ／ＡＷＢ情報が取得され、前記ＡＥ／ＡＷＢ情報メモリ１６１Ａにリライトされて記憶される。
このようにして調整された各コマの画像データ、即ち、第２信号処理回路１５２から出力される輝度信号Ｙ及びクロマ信号Ｃｒ／ｂ  は、メモリ制御回路１５４を介してインデックス画像バッファＭ１ａに順次記憶される。尚、前述したように標準のフイルム画像を取り込む時の給送速度の８倍の速度でフイルム１１４が給送されるため、図７（Ａ）に示すように１コマのフイルム給送方向と同方向の画素数は、１１２画素である。また、ＣＣＤラインセンサ１４２は、前述したようにフイルム給送方向と直交する方向に１０２４画素分のセンサを有しているが、１／１６に間引くことにより１コマのフイルム給送方向と直交する方向の画素数は、６４画素である。そして、インデックス画像バッファＭ１ａは、図７（Ａ）に示すように５１２×１０２４画素のデータを記憶する記憶容量を有した不揮発性メモリであり、これにより５×４×２（＝４０）コマ分の画像データを記憶することができる。即ち、インデックス画像バッファＭ１ａには、４０コマ分のインデックス画像を示す画像データが記憶されることになる。
【００４１】
表示バッファＭ２は、図７（Ｂ）に示すように５１２×１０２４画素のデータを記憶する記憶容量を有しているが、上記インデックス画像を示す画像データを記憶する場合には、１コマの画素が７３×１２８に拡大されて５×４（＝２０）コマ分の画像データを記憶する。そして、インデックス画像をモニタＴＶ１０９に表示させる場合には、表示バッファＭ２の左上の４８０×６４０画素分の領域が読み出される（図７（Ｂ）、（Ｃ）参照）。
【００４２】
さて、インデックス画像バッファＭ１ａには、図７（Ａ）に示すように上記スキャン時における各コマの画像データの読取り順に、各コマの画像データが左上の記憶領域から右側に向かって順次記憶され、４コマ分記憶されると、１行下がった記憶領域から再び右側に向かって順次記憶される。そして、５行分（４×５＝２０コマ分）記憶されると、隣の２０コマ分の記憶領域に同様にして記憶される。
【００４３】
インデックス画像バッファＭ１ａへの上記記憶動作中にも、インデックス画像バッファＭ１ａの記憶内容は表示バッファＭ２に転送される。
表示バッファＭ２には１度に２０コマ分の画像データしか記憶できないため、インデックス画像バッファＭ１ａに２１コマ目の画像データが入力されると、インデックス画像を上方向にスクロールさせるように、表示バッファＭ２への画像データの書換え及び読み出しが行われる。例えば、インデックス画像バッファＭ１ａに２１コマ目の画像データが入力されると、表示バッファＭ２のコマ番号１〜４の１行分の記憶領域の画像データがクリアされ、２１コマ目の画像データが書き込まれるとともに、映像信号出力時のスキャン開始アドレスを２行目に変更される。これにより、モニタＴＶ１０９では１行分だけ上方向にスクロールしたインデックス画像が表示されることになる。このようにして全コマの画像データがＣＣＤバッファＭ１に記憶されると、モニタＴＶ１０９には再びコマ番号１〜２０までのインデックス画像が表示されるように下方向にスクロール又は画面が切り替えられる。
【００４４】
ところで、ＣＰＵ１６０は、上記スキャン時における各コマの画像データの読取り順に各コマに対してコマ番号を１、２、…とし、各コマのコマ番号を示すキャラクター信号を出力することにより、コマ番号がスーパーインポーズされたインデックス画像を表示させるようにしている。
上記のようにしてインデックス画像の作成が行われ、モニタＴＶ１０９に表示される。
【００４５】
一方、ステップ２０４で今回のフイルムＩＤが前回のフイルムＩＤと同じであると判別された場合は、各不揮発性メモリＭ１ａ、１６１Ａ、１６１Ｂ、１６１Ｃに記憶したデータ内容を維持したまま、前記第１及び第２のプリスキャンを省略して、ステップ２１８へ進む。
続いてキー操作等によって自動再生を選択したか否かが判断される（ステップ２１８）。ステップ２１８において自動再生を選択しない場合には、上記インデックス画像を見ながらキーパッド１２０を使用し、対話形式でモニタＴＶ１０９に１コマ表示するために必要な編集、その他の画像再生処理情報の指定を行う（ステップ２２０）。
【００４６】
次に、各コマ毎の表示・編集を行う場合の例について説明する。
この場合には、各コマの表示を行うか否かを選択し（ステップ２２２）、コマ表示を行う場合には表示コマ番号を入力する（ステップ２２４）。その後、図６に示すようにフイルム１１４を９．２５ｍｍ／秒で順方向に１コマ分給送して、そのコマ番号のコマのスキャンを行う（ステップ２２６）。このスキャン時にＣＣＤラインセンサ１４２を介して画像データが画像データバッファＭ１ｂに取り込まれる。
【００４７】
この画像データの取込み時には、ＣＰＵ１６０は、ＡＥ／ＡＷＢ情報メモリ１６１Ａに記憶したＡＥ／ＡＷＢ情報等に基づいて各コマの画像データを調整しているため、各コマの撮影条件にかかわらず、良好な画像データを取り込むことができる。また、このようにして画像データバッファＭ１ｂに取り込まれる１コマ分の画素数は、図７（Ｄ）に示すように５１２×８９６画素である。即ち、１０２４画素分のセンサを有するＣＣＤラインセンサ１４２のＣＣＤ出力を、本スキャン時には１／２に間引き、これにより１コマのフイルム給送方向と直交する方向の画素数を５１２とし、また、フイルム給送速度をインデックス画像の画像データの取込み時に比べて１／８にすることにより、インデックス画像の１コマのフイルム給送方向と同方向の画素数（１１２画素）の８倍の８９６画素としている。
【００４８】
上記のようにして画像データバッファＭ１ｂに取り込まれた１コマ分の画像データは、表示バッファＭ２に転送され、この表示バッファＭ２の記憶内容が繰り返し読み出されことによりモニタＴＶ１０９に１コマの画像が表示される。
なお、バッファＭ１ａとバッファＭ１ｂはスイッチによって表示バッファＭ２への転送切り替えが随時可能である。
【００４９】
表示コマの編集が終了すると（ステップ２２８）、図６に示すようにフイルム１１４を１４８．０ｍｍ／秒の高速で逆方向に給送し、この給送中に予めフイルム１１４の磁気記録層１１４Ｂ、１１４Ｃから読み取られて磁気情報メモリ１６１Ｂに記憶された磁気情報、前記インデックス画像を用いた編集の内容を示すデータ、表示コマを用いた編集の内容を示すデータ等が磁気情報としてフイルム１１４の磁気記録層１１４Ｂ、１１４Ｃに再び記録され（ステップ２３０）、この巻戻し終了後、フイルムカートリッジ１１０が取り出される（ステップ２３２）。尚、ステップ２３０においてＡＥ／ＡＷＢ情報メモリ１６１Ａに記憶されたＡＥ／ＡＷＢ情報も前記磁気記録層１１４Ｂ，１１４Ｃに記録することも考えられる。
【００５０】
一方、ステップ２２２において、表示コマを用いた編集を実行しない場合には、ステップ２４０、２４２に進み、上記ステップ２３０、２３２と同様にフイルム１１４の磁気記録層１１４Ｂ、１１４Ｃへの書き込み、及びフイルムカートリッジ１１０の取出しが行われる。
また、ステップ２１８において自動再生が選択されると、上記メモリ１６１Ａ、１６１Ｂに記憶された自動再生情報に基づいて１ロールのフイルムの複数コマの画像を順次自動的に再生する（ステップ２４８）。そして、この自動再生が終了すると、フイルム巻戻し時に磁気情報がフイルム１１４の磁気記録層１１４Ｂ、１１４Ｃに再び記録され（ステップ２５０）、巻戻し終了後フイルムカートリッジ１１０が取り出される（ステップ２５２）。この時不揮発性メモリ１６１Ａに記憶したＡＥ／ＡＷＢ情報、不揮発性メモリ１６１Ｂに記憶した磁気情報、不揮発性メモリ１６１Ｃに記憶した今回のフイルムＩＤ及びインデックス画像バッファＭ１ａに記憶したインデックス画像はクリアせずに維持している。
【００５１】
上記のようにフイルムカートリッジ１１０を排出した後も、そのフイルムのＡＥ／ＡＷＢ情報，各コマの磁気情報，フイルムＩＤ情報，インデックス画像を夫々不揮発性メモリ１６１Ａ、１６１Ｂ、１６１Ｃ、Ｍ１ａに維持しているので、そのフイルムカートリッジを続けて該フイルムスキャナに再度投入した場合には、重複する上記情報及び画像の取得を省略することができる。これにより、処理時間を短縮することができる。
【００５２】
また、複数のフイルムについてＡＥ／ＡＷＢ情報，各コマの磁気情報，フイルムＩＤ情報，インデックス画像を不揮発性メモリに記録しておき、その中から、今回投入されたフイルムカートリッジと同一のフイルムカートリッジッジに関する情報を捜し出すという構成も可能である。不揮発性メモリに記録してある情報及び画像に関しては、重複する取得を省略することができ、処理時間を短縮することができる。
【００５３】
図８は本発明の他の実施例の要部を説明する為のフローチャートである。図８の実施例は、上記実施例のインデックス画像を記憶する不揮発性メモリＭ１ａを揮発性メモリに代えたものであり、フイルムカートリッジ１１０をフイルムスキャナ１００から排出する際にインデックス画像を記憶する揮発性メモリの内容をクリアするようにしている。その他は、上記実施例中の同一又は類似の構成には同一の符号を付し、その説明は省略する。
【００５４】
本実施例では、ステップ２０４で前回のフイルムＩＤと今回のフイルムＩＤが異なると判別された場合は、維持していた前回のフイルムのＡＥ／ＡＷＢ情報メモリ１６１Ａをクリアする（ステップ３０７）と共に磁気情報メモリ１６１Ｂもクリアする（ステップ３０８）。その後、フイルム１１４の第１プリスキャン（ステップ３１０）及び第２プリスキャン（ステップ３１２）を実行し（図９（Ａ）参照）、今回のフイルムＩＤをフイルムＩＤメモリ１６１Ｃに記憶する（ステップ３１４）。詳細な過程は上記実施例と同様であり、その後はステップ２１８へ進む。
【００５５】
一方、ステップ２０４で前回のフイルムＩＤと今回のフイルムＩＤが同じと判別された場合にはステップ３１２へ進み、ＡＥ／ＡＷＢ情報の取得及び磁気情報の取得は省略し、インデックス画像を取得することにしている。即ち、図９（Ｂ）に示すようにフイルム１１４を７４．０ｍｍ／秒の高速で順方向に給送し、不揮発性メモリに維持したＡＥ／ＡＷＢ情報を基にインデックス画像を往路で取得している。この際は、ＡＥ／ＡＷＢ情報の取得は不要である。これにより、インデックス画像メモリを揮発性メモリで構成した場合でもプリスキャンの回数を減らすことができる。
【００５６】
尚、ＡＥ／ＡＷＢ情報メモリ、磁気情報メモリ、フイルムＩＤメモリ及びインデックス画像メモリの全てを揮発性メモリで構成することも可能である。
また、複数のフイルムについてＡＥ／ＡＷＢ情報，各コマの磁気情報，フイルムＩＤ情報を不揮発性メモリに記録しておき、その中から、今回投入されたフイルムカートリッジと同一のフイルムカートリッジに関する情報を捜し出すという構成も可能である。重複する上記各情報及び画像の取得を省略することができ、処理時間を短縮することができる。
【００５７】
更に、他の実施例として、インデックス画像メモリを揮発性メモリで構成し、磁気情報及びＡＥ／ＡＷＢ情報についてはフイルムＩＤを変数として不揮発性メモリに記憶する一方、インデックス画像は該当するフイルムＩＤを変数として前記揮発性メモリに記憶するように構成することも考えられる。上記構成において、任意のフイルムカートリッジが挿入されると、先ず該フイルムのＩＤ情報が読み取られ、揮発性メモリに記憶している直近に排出した前回のフイルムのＩＤと同じか否かが判別される。そして、今回投入したフイルムが、揮発性メモリに記憶している前回のフイルムと一致している場合は、揮発性メモリに記憶しているインデックス画像及び、不揮発性メモリに記憶している磁気情報，ＡＥ／ＡＷＢ情報がそのまま使用できるので、プリスキャンを省略することができる。
【００５８】
一方、今回投入したフイルムが、揮発性メモリに記憶しているフイルムと不一致の場合は、更に前記不揮発性メモリに記憶しているフイルムＩＤの中に一致するフイルムＩＤが存在するか否かが判別される。そして、不揮発性メモリに記憶しているフイルムＩＤの中に今回投入したフイルムと同一のフイルムＩＤが存在していれば、該不揮発性メモリに記憶している磁気情報及びＡＥ／ＡＷＢ情報がそのまま使用できるので、プリスキャンを簡略化することができる。この際、インデックス画像は新たに取り込むことになる。
【００５９】
ところで、フイルムスキャナから排出したフイルムカートリッジを、別の機器に投入してその機器で該フイルムカートリッジの磁気情報を更新した後、再び前記フイルムスキャナに連続して投入するという場合も考えられる。このような場合には更新された磁気情報を改めて読み取ると共にインデックス画像も改めて取得することが望ましい。即ち、前回投入されたフイルムＩＤと今回投入したフイルムＩＤが同じであっても、この間に該フイルムの磁気情報が更新されている場合は、磁気情報，ＡＥ／ＡＷＢ情報，インデックス画像を改めて取得するという態様が考えられる。
【００６０】
そこで、以下に述べる更に他の実施例は、上記実施例においてフイルムリーダトラック１１４Ｃに磁気記録更新コード記録部を設け、磁気情報を更新する際に該更新コードが書き換わるようにしている。そして上記フイルムスキャナ１００の磁気記録再生装置１８２は磁気記録更新コードを読み取ることができる。尚、更新コードは版数番号でもよいし乱数を用いてもよいし、或いは所定のフラグでもよい。
【００６１】
図１０は図５の実施例に磁気記録更新コードを設けた場合のフローチャートである。同図を参照しながら説明する。フイルムローディングが完了すると（ステップ４００）、フイルムのバーコード又はリーダトラックに記録された該フイルム固有識別情報を読み取ってフイルムＩＤを識別すると共にリーダトラック１１４Ｃに記録された上記磁気記録更新コードを読み込む（ステップ４０２）。そして、先ず前回のフイルムＩＤと今回のフイルムＩＤが同じか否かを判別する（ステップ４０４）。この時前回のフイルムＩＤと異なると判別された場合は、インデックス画像メモリＭ１ａをクリアする（ステップ４０６）と共にＡＥ／ＡＷＢ情報のメモリ１６１Ａをクリアし（ステップ４０７）、更に磁気情報のメモリ１６１Ｂをクリアする（ステップ４０８）。その後、フイルム１１４の第１プリスキャン（ステップ４１０）及び第２プリスキャン（ステップ４１２）を実行し、今回のフイルムＩＤと磁気記録更新コードとを記憶する（ステップ４１４）。その後は図４のステップ２１８へ進む。尚、詳細は図５の実施例と同様であるので説明を省略する。
【００６２】
一方、ステップ４０４で、今回のフイルムＩＤが前回のフイルムＩＤと同じフイルムＩＤと判別された場合は、更にステップ４０５で前回の磁気記録更新コードと今回の磁気記録更新コードとを比較してフイルムの磁気情報が更新されているか否かを判別する。この時磁気情報が更新されていると判別された場合には、ステップ４０６へ進み、上記と同様に各不揮発性メモリＭ１ａ、１６１Ａ、１６１Ｂ、１６１Ｃをクリアし（ステップ４０６、４０７、４０８）、プリスキャンを実行（ステップ４１０、４１２）した後、今回のフイルムＩＤと磁気記録更新コードとを記憶する（ステップ４１４）。
【００６３】
他方、ステップ４０５で磁気情報が更新されていないと判別された場合には、上記各不揮発性メモリＭ１ａ、１６１Ａ、１６１Ｂ、１６１Ｃのクリア、プリスキャン、フイルムＩＤ及び磁気記録更新コードの記憶の何れをも省略してステップ２１８へ進む。
こうして、前回投入されたフイルムと今回投入したフイルムが同じであっても、この間に該フイルムの磁気情報が更新されている場合は、磁気情報，ＡＥ／ＡＷＢ情報，インデックス画像を改めて取得することができる。
【００６４】
また、前記実施例では図５の実施例に磁気記録更新コードを設けた場合を説明したが、図８の実施例についても同様に適用できる。
尚、上記実施例では、フイルムＩＤはフイルムリーダ部のバーコードに記録されているとしたが、これに限らず、リーダ部の磁気トラック１１４Ｃに記録されていてもよい。
【００６５】
【発明の効果】
以上説明したように、本発明に係るフイルムスキャナのスキャン方法によれば、フイルムの識別情報によって、今回投入したフイルムが不揮発性メモリ又は揮発性に記憶しているフイルムと同一か否かを自動的に判別することができ、今回投入したフイルムが不揮発性メモリ又は揮発性メモリに記憶しているフイルムと同一であると判別した場合は、上記不揮発性メモリ及び揮発性メモリに記憶されたデータが使用できるので、プリスキャンを省略又は簡略化することができる。これにより、処理時間が短縮化でき、操作性を向上することができる。更に、無駄なフイルム走行を防止し、フイルムの保存性並びにフイルムスキャナのメカの耐久性の向上に寄与することができる。
【００６６】
また、本発明によれば、フイルム識別情報を読み取ると共に磁気記録更新コードを読み取り、今回投入したフイルムカートリッジが不揮発性メモリ又は揮発性メモリに記憶しているフイルムカートリッジと同一か否かの判別を行うと共に、フイルムの磁気情報が書き替わっているか否かを自動的に判別することができる。そして今回のフイルムが不揮発性メモリ又は揮発性メモリに記憶しているフイルムと同一で且つ磁気情報が書き替わっていない場合は、上記不揮発性メモリ及び揮発性メモリに記憶されたデータを使用できるので、プリスキャンを省略又は簡略化することができる。一方、フイルムスキャナから一旦排出されたフイルムカートリッジを再度連続して該フイルムスキャナに投入した場合において、この間に他の機器によって磁気情報が書き換えられていることが判別された場合には、更新された磁気情報に基づいて、新たに磁気情報、撮影条件に関する情報及びインデックス画像情報を取得することができる。これにより、操作性を向上することができ、無駄なフイルム走行を防止し、フイルムの保存性並びにフイルムスキャナのメカの耐久性の向上に寄与することができる。
【図面の簡単な説明】
【図１】本発明に係るフイルムスキャナのスキャン方法が適用されたフイルムスキャナを含むシステム全体の概略構成を示す斜視図
【図２】図１に示したフイルムカートリッジの一例を示す図
【図３】図１に示したフイルムスキャナの内部構成の一実施例を示すブロック図
【図４】図１に示したフイルムスキャナの作用を説明する為に用いたフローチャート
【図５】図４において本発明の要部の作用を説明する為のフローチャート
【図６】図１に示したフイルムスキャナにおいて搬送されるフイルムの搬送シーケンスの一例を示す図
【図７】図７（Ａ）乃至（Ｄ）は図１に示したフイルムスキャナにおけるインデックス画像バッファ、画像データバッファ、表示バッファにおける記憶領域及びモニタＴＶの表示画面を示す図
【図８】本発明の他の実施例の要部の作用を説明する為のフローチャート
【図９】図８に示したフイルムスキャナにおいて搬送されるフイルムの搬送シーケンスの要部の一例を示す図
【図１０】本発明の更に別の実施例の要部の作用を説明する為のフローチャート
【符号の説明】
１００…フイルムスキャナ
１１０…フイルムカートリッジ
１１４…写真フイルム
１１４Ｂ、１１４Ｃ…磁気記録層
１６０…中央処理装置（ＣＰＵ）
１６１Ａ…ＡＥ／ＡＷＢ情報メモリ
１６１Ｂ…磁気情報メモリ
１６１Ｃ…フイルムＩＤメモリ
１７０…フイルム駆動メカ
１８０…光学データ読取装置
１８２…磁気記録再生装置
Ｍ１ａ…インデックス画像バッファ
Ｍ１ｂ…画像データバッファ
Ｍ２…表示バッファ
【図１】
0003561851.tif 000002
【図２】
0003561851.tif 000003
【図３】
0003561851.tif 000004
【図４】
0003561851.tif 000005
【図５】
0003561851.tif 000006
【図６】
0003561851.tif 000007
【図７】
0003561851.tif 000008
【図８】
0003561851.tif 000009
【図９】
0003561851.tif 000010
【図１０】
0003561851.tif 000011